(57)【特許請求の範囲】
【請求項１】
両端側に取り付け部位を有し、これらの取り付け部位によって引出し又は扉に固定される取っ手であって、
前記取り付け部位のうちの一方は、他方よりも横幅が広く形成されるとともに、幅広に形成された側の取り付け部位は手掛け用の段部が形成された持ち手部とされる一方、
前記持ち手部と一体化されたタオル掛け部は、前記持ち手部よりも横幅が広く形成され、かつ前記タオル掛け部には、前記引き出し又は扉との間にタオルを通すための開口が形成されていることを特徴とする取っ手。
【請求項２】
ヒンジを有し前記ヒンジと反対側が開放側となる前記扉に対し、前記持ち手部が前記扉の開放側に配置されるようにして取り付けがなされることを特徴とする請求項１に記載の取っ手。
【発明の詳細な説明】
【技術分野】
【０００１】
本発明は、引出し又は扉に取り付けられる取っ手に関するものである。
【背景技術】
【０００２】
従来、特許文献１に開示されているように、洗面カウンターにタオルハンガーが設けられたものが存在する。
また、タオル掛け兼用家具用取っ手として、特許文献２に開示されているような構造のものがある。
【先行技術文献】
【特許文献】
【０００３】
【特許文献１】特開２００７−１５１９７３号公報
【特許文献２】意匠登録第１３６７０１２号公報
【発明の概要】
【発明が解決しようとする課題】
【０００４】
上記特許文献１に開示されているタオルハンガーは、あくまでタオルを掛けるためのものであり、引出しや扉に取り付けられるものではなく、また、仮に引出しや扉に取り付けたとしても、手が引っ掛かりにくく、取っ手としては使用困難なものであった。
また、特許文献２に開示されているタオル掛け兼用家具用取っ手の構造では、取っ手として用いた場合の強度に問題があり、また、タオルを掛けた状態では、扉の開閉時等にタオルに手が触れてしまい、取っ手として使いにくいものであった。
【課題を解決するための手段】
【０００５】
本発明は、十分な強度を有し、タオルに触れずに引出しや扉の開閉ができる取っ手の提供を目的とし、この目的の少なくとも一部を達成するために以下の手段を採った。
本発明は、両端側に取り付け部位を有し、これらの取り付け部位によって引出し又は扉に固定される取っ手であって、
前記取り付け部位のうちの一方は、他方よりも横幅が広く形成されるとともに、幅広に形成された側の取り付け部位は手掛け用の段部が形成された持ち手部とされる一方、
前記持ち手部と一体化されたタオル掛け部は、前記持ち手部よりも横幅が広く形成され、かつ前記タオル掛け部には、前記引き出し又は扉との間にタオルを通すための開口が形成されていることを要旨とする。
【発明の効果】
【０００６】
本発明の取っ手では、横幅の狭い持ち手部と、タオルを掛止できる横幅の広いタオル掛け部が一体化されて、タオル掛け部の開口に上方側からタオルを通して良好にタオルを掛止することができる。
また、持ち手部は引出し又は扉を開閉する際の取っ手としての強度を有し、持ち手部には手掛け用の段部が形成されているため、引出しや扉を開閉する際の操作性が向上するものとなり、タオル掛け部に掛止されているタオルに触れることなく良好に持ち手部の段部に手を掛けて引出し又は扉の開閉を行うことができる。
【０００７】
また、本発明の取っ手は、ヒンジを有し前記ヒンジと反対側が開放側となる前記扉に対し、前記持ち手部が前記扉の開放側に配置されるようにして取り付けがなされるようにしてもよい。
このような構成によれば、持ち手部が扉の開放側に配置されているため、扉を開閉する際に力を加えやすい。
【図面の簡単な説明】
【０００８】
【図１】取っ手の拡大斜視構成図である。
【図２】取っ手の拡大平面構成図である。
【図３】取っ手の拡大正面構成図である。
【図４】取っ手の拡大側面構成図である。
【図５】キャビネットの観音扉に取っ手を取り付けた状態の斜視構成図である。
【図６】図５の平面構成図である。
【図７】図５の正面構成図である。
【図８】図５の側面構成図である。
【図９】タオルを掛止した状態の使用状態の斜視構成図である。
【図１０】キャビネットの扉に取っ手を取り付けた状態の斜視構成図である。
【図１１】図１０の平面構成図である。
【図１２】図１０の正面構成図である。
【図１３】図１０の側面構成図である。
【図１４】タオルを掛止した使用状態のキャビネットの斜視構成図である。
【図１５】キャビネットの引出しに取っ手を取り付けた状態の斜視構成図である。
【図１６】図１５の平面構成図である。
【図１７】図１５の正面構成図である。
【図１８】図１５の側面構成図である。
【図１９】タオルを掛止した使用状態のキャビネットの斜視構成図である。
【図２０】第１参考例の取っ手の拡大斜視構成図である。
【図２１】図２０の取っ手をキャビネットの観音扉に取り付けた状態の斜視構成図である。
【図２２】タオルを取っ手に掛止した使用状態のキャビネットの斜視構成図である。
【図２３】第２参考例の取っ手の拡大斜視構成図である。
【図２４】図２３の取っ手をキャビネットの観音扉に取り付けた状態の斜視構成図である。
【図２５】タオルを掛止した使用状態のキャビネットの斜視構成図である。
【発明を実施するための形態】
【０００９】
次に、本発明を実施するための形態を実施例を用いて説明する。
【実施例１】
【００１０】
図１は、第１実施例の取っ手の斜視構成図であり、図２は、取っ手の平面図であり、図３は、取っ手の正面図であり、図４は、取っ手の側面図である。
この取っ手１は、持ち手部２とタオル掛け部３が一体化されたものである。
【００１１】
図２に示すように、持ち手部２の横幅寸法ａは、例えば横幅の狭い４５ｍｍ程度に設定されており、また、タオル掛け部３の横幅寸法ｂは、例えば１６０ｍｍ程度のタオルを掛止できる広い横幅に設定されている。
この取っ手１は、横方向に延びる一体化片４の図示左端側に、後方へ突出して持ち手片５が一体形成され、また、一体化片４の図示右端側に、後方へ突出して取付片６が一体形成されたものである。
【００１２】
一体化片４は、図４の側面図に示すように、その前面が僅かに湾曲した前面４ａとなっており、裏面は、縦方向中央部が大きく後方側へ湾曲した裏曲面４ｂとなっている。
また、持ち手片５は、一体化片４の縦方向寸法よりも縦方向寸法の短い薄肉状のものであり、上下面を指で挟むことができるものである。
この持ち手片５の前端と一体化片４の裏曲面４ｂの交わる部分には、上側の段部７ａと下側の段部７ｂが形成されており、この段部７ａ，７ｂは手掛け用に有効に機能することができ、持ち手片５を前方側へ引っ張った時に、段部７ａ或いは上下の段部７ａ，７ｂに指が引っ掛かり、滑ることなく良好に前方側へ力を掛けることができる。
【００１３】
持ち手片５の後端側は取付面５ａとなっており、この取付面５ａが引出し又は扉の前面に当接されて、引出し又は扉側からビス等をこの取付面５ａに締め付けて、ビス等で持ち手片５が引出し又は扉に取り付け固定されるものである。
また、右端側の取付片６も一体化片４よりも薄肉状に形成されて、取付片６の後端は取付面６ａとなっており、この取付面６ａが引出し又は扉の前面に当接されて、ビス等を締め付けて取付面６ａが引出し又は扉の前面に固定されるものである。
なお、持ち手片５と取付片６の前後方向の突出長さは同一に設定されており、取っ手１を引出し又は扉に取り付けた状態では、引出し又は扉の前面と一体化片４の裏曲面４ｂ間には開口Ｋが形成されるものであり、この開口Ｋ内に上方側からタオルを通して良好にタオルを一体化片４のタオル掛け部３に掛止できるものである。
【００１４】
図５は、前面側に観音開きの左右の扉１３，１４を有するキャビネット９において、それぞれの扉１３，１４に取っ手１を取り付けた状態を示すものである。
なお、観音開きの扉１３，１４は、それぞれ外側のヒンジ１３ａ，１４ａ側を中心として内側が前後方向に開閉されるものであるため、開閉時に力が加わる持ち手部２（持ち手片５）が内側となるようにそれぞれ取っ手１が取り付けられる。
即ち、左側の扉１３では、扉１３の右端側に持ち手部２（持ち手片５）が配置されるように取っ手１が扉１３の上端側に水平に取り付けられる。また、扉１４側では、持ち手部２（持ち手片５）が扉１４の左端側に配置されるように取っ手１が扉１４の上端側に水平に取り付けられる。
なお、観音開き状の扉１３，１４はキャビネット本体１０の前面側に取り付けられており、キャビネット本体１０の上面にはボウル部１１が設けられており、このボウル部１１には水栓１２と吐水管１２ａが設けられている。
【００１５】
図６は、図５の平面図であり、図７は、図５の正面図であり、図８は、図５の側面図である。
図９は、取っ手１の開口Ｋ内にタオル８を通して、タオル掛け部３にタオル８を掛止した使用状態を示すものであり、このようにタオル８をタオル掛け部３に掛止した状態において、タオル８に手が触れることなく、持ち手部２（持ち手片５）の手掛け用の段部７ａ，７ｂに手を掛けて良好に前方側へ引っ張り、扉１３或いは扉１４を開くことができ、タオルに触れずに扉１３，１４を開閉でき、操作性が良好なものとなる。
【００１６】
次に、図１０〜図１４は、開き扉を有するキャビネット９に取っ手１を取り付けた状態を示すものであり、キャビネット９のキャビネット本体１０の前面には、ヒンジ１４ａ側を中心として前方側へ開閉可能に扉１４が設けられ、扉１４の図示左側には上下二段に引出し１５，１５が設けられている。
この扉１４の上部部位に取っ手１が取り付けられ、取っ手１の持ち手部２（持ち手片５）が、ヒンジ１４ａと反対側の扉１４の内側の左端側に配置されて、取っ手１がビス等で取り付け固定される。
【００１７】
図１４は、タオル掛け部３にタオル８を掛けた使用状態を示すものであり、このタオル８を掛けた状態で、持ち手部２（持ち手片５）に指を載せる等して、段部７ａ，７ｂに指を引っ掛けて良好に前方側への力を加えることができ、タオル８に手が触れることなく良好に持ち手部２（持ち手片５）に手を掛けて扉１４を開閉操作することができるものである。
【００１８】
次に、図１５〜図１９は、キャビネット本体１０に上引出し１６ａと下引出し１６ｂが設けられているキャビネット９において、上引出し１６ａおよび下引出し１６ｂにそれぞれ取っ手１，１を取り付けた状態を示すものである。
この場合、上引出し１６ａおよび下引出し１６ｂの各前板の、横方向中央部に持ち手部２（持ち手片５）が配置されるように、それぞれ取っ手１，１が取り付けられるものである。
このように、取っ手１の持ち手部２（持ち手片５）の配置位置が、上引出し１６ａ，下引出し１６ｂの横方向中央部となるように、取っ手１，１をそれぞれ取り付けておけば、持ち手部２（持ち手片５）に手を掛けて前方側へ引き出す際に、上引出し１６ａ，下引出し１６ｂをスムーズに前方側へ引き出すことができる。
【００１９】
図１９は、タオル掛け部３にタオルを掛けた状態の使用状態図である。
引出し１６ａ，１６ｂの前面と一体化片４の裏曲面４ｂ間に形成される開口Ｋ内に上方側からタオル８を通して、良好にタオル８をタオル掛け部３に掛止することができ、タオル８を掛止した状態で、タオル８に手が触れることなく持ち手部２（持ち手片５）に手を掛け、引出し１６ａ，１６ｂを引き出し操作することができるものである。
なお、図１６は、図１５の平面図であり、図１７は、図１５の正面図であり、図１８は、図１５の側面図である。
【実施例２】
【００２０】
次に、図２０において、第１参考例の取っ手２１を拡大斜視図で示す。
この取っ手２１は、横方向に延びる一体化片２４の左端に、後方側へ一体状に延びる持ち手片２５ａを有し、持ち手片２５ａの右側に間隔をおいて一体化片２４から一体状に後方側へ延びる持ち手片２５ｂが形成されており、また、一体化片２４の右端側には後方側へ一体状に延びる取付片２６が形成されたものであり、この一体化片２４と持ち手片２５ａ，２５ｂと取付片２６は同一の高さ寸法に形成されたものである。
持ち手片２５ａと持ち手片２５ｂ間には、上下に貫通する横幅の狭い貫通部２７が形成されており、この貫通部２７の部分が持ち手部２２を構成している。
また、持ち手片２５ｂと取付片２６間には、タオルを掛止できる横幅の広い開口Ｋが上下に貫通形成されており、この開口Ｋの部分がタオル掛け部２３を構成している。
【００２１】
図２１は、キャビネット本体１０の前面に観音開きの扉１３，１４を備えたキャビネット９において、扉１３，１４の上端側にそれぞれ取っ手２１，２１を取り付けた状態を示すものである。
左側の扉１３においては、持ち手部２２（貫通部２７）をヒンジ１３ａと反対側の内側（右端側）に配置して取っ手２１が取り付けられ、また、扉１４側においては、ヒンジ１４ａと反対側の内側（左端側）に持ち手部２２（貫通部２７）を配置して取っ手２１が取り付けられる。
【００２２】
取付状態では扉１３，１４の前面と一体化片２４間に開口Ｋが形成されるため、この開口Ｋ内に上方側からタオルを通して、図２２のように、タオル掛け部２３にタオル８を良好に掛止することができるものである。このタオル８を掛止した状態においても、タオル８に手を触れずに、持ち手部２２（貫通部２７）に手を掛けて前方側へ引っ張り、扉１３，１４を良好に開閉操作することができるものである。
なお、貫通部２７内に上方側から指を入れることで、持ち手部２２の部分の一体化片２４を握ることもでき、良好に開閉操作することができるものである。なお、この貫通部２７の部分は横幅寸法が短いために、タオルを掛止することはできないものである。
【実施例３】
【００２３】
次に、図２３では、第２参考例の取っ手２１の拡大斜視図を示す。
この取っ手２１は、横方向に延びる一体化片２４の右端側に後方側へ一体状に延びる取付片２６が形成されており、一体化片２４の左側部位に、取付片２６と平行状に後方側へ延びる持ち手片２５ｂが一体形成されたものであり、持ち手片２５ｂの部分から更に一体化片２４は左側へ延びた状態に形成されている。
この持ち手片２５ｂから更に左側へ延びる一体化片２４の部分では、上下に貫通する貫通部２７が形成され、この貫通部２７の部分が持ち手部２２を構成するものである。
また、持ち手片２５ｂと取付片２６間には上下に貫通する開口Ｋが形成され、この開口Ｋはタオルを通すことのできる横幅寸法を有し、タオル掛け部２３を構成している。
なお、貫通部２７の部分の一体化片２４は横幅寸法が短いためにタオルを掛止することはできないものである。
【００２４】
図２４は、キャビネット本体１０の前面に観音開き状の扉１３，１４を備えたキャビネット９において、扉１３，１４のそれぞれの上端側に第３実施例の取っ手２１，２１を取り付けた状態を示すものである。
図２４に示すように、左側の扉１３では、ヒンジ１３ａと反対側の内側（右端側）に持ち手部２２（貫通部２７）を配置して取っ手２１が取り付けられ、右側の扉１４では、外側のヒンジ１４ａと反対側の内側（左端側）に持ち手部２２（貫通部２７）を配置して取っ手２１が取り付けられる。
【００２５】
取付状態では扉１３，１４の前面と一体化片２４間に開口Ｋが形成されるため、この開口Ｋ内に上方側からタオルを通して、タオル８を図２５のようにタオル掛け部２３に掛止しておくことができ、この状態でも、貫通部２７内に指を入れて、持ち手部２２に手を掛けて良好に前方側へ扉１３，１４を開けることができるものであり、タオル８に手が触れることなく良好に扉１３，１４を開閉操作することができる。
なお、持ち手片２５ｂと取付片２６の後端がそれぞれ扉１３，１４に当接されて、扉１３，１４の裏側からビス等をそれぞれ持ち手片２５ｂ，取付片２６に締め付けて、強固に扉１３，１４に取っ手２１を取り付け固定することができ、取付状態の強度も十分に確保されるものである。
【００２６】
なお、前記図２０に示す取っ手２１或いは図２３に示す取っ手２１において、持ち手片２５ｂの後端と取付片２６の後端間を、一体化片２４と平行な片で連結して取っ手２１を構成することもでき、このような構成では、扉１３，１４との当接面積が増大するため、より強固な取っ手２１の取付状態を得ることができるものである。
【符号の説明】
【００２７】
１  取っ手
２  持ち手部
３  タオル掛け部
４  一体化片
４ａ  前面
４ｂ  裏曲面
５  持ち手片
５ａ  取付面
６  取付片
６ａ  取付面
７ａ，７ｂ  段部
８  タオル
９  キャビネット
１１  ボウル部
１３，１４  扉
１６ａ  上引出し
１６ｂ  下引出し
２１  取っ手
２２  持ち手部
２３  タオル掛け部
２４  一体化片
２５ａ，２５ｂ  持ち手片
２６  取付片
２７  貫通部
Ｋ  開口
【図１】
0005912497.tif 000002
【図２】
0005912497.tif 000003
【図３】
0005912497.tif 000004
【図４】
0005912497.tif 000005
【図５】
0005912497.tif 000006
【図６】
0005912497.tif 000007
【図７】
0005912497.tif 000008
【図８】
0005912497.tif 000009
【図９】
0005912497.tif 000010
【図１０】
0005912497.tif 000011
【図１１】
0005912497.tif 000012
【図１２】
0005912497.tif 000013
【図１３】
0005912497.tif 000014
【図１４】
0005912497.tif 000015
【図１５】
0005912497.tif 000016
【図１６】
0005912497.tif 000017
【図１７】
0005912497.tif 000018
【図１８】
0005912497.tif 000019
【図１９】
0005912497.tif 000020
【図２０】
0005912497.tif 000021
【図２１】
0005912497.tif 000022
【図２２】
0005912497.tif 000023
【図２３】
0005912497.tif 000024
【図２４】
0005912497.tif 000025
【図２５】
0005912497.tif 000026